(57)【要約】  組成物、処理混合物、およびキットが、単相水溶液を用いて、例えば、サーマルインクプリンターリボンといったポリマーフィルムから１つまたは複数のコーティングを除去するために提供される。単相水溶液は、水；無機塩基組成物；安定な過酸化物組成物；および界面活性剤組成物を含み得る。【選択図】なし【特許請求の範囲】
【請求項１】
水；
無機塩基組成物；
安定な過酸化物組成物；および
界面活性剤組成物
を含む、ポリマーフィルムから１つまたは複数のコーティングを除去するための単相水溶液。
【請求項２】
無機塩基組成物がアルカリ金属水酸化物、アルカリ土類金属酸化物、およびアルカリ土類金属水酸化物の１つまたは複数を含む、請求項１に記載の単相水溶液。
【請求項３】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項１に記載の単相水溶液。
【請求項４】
無機塩基組成物が約、０．０１２５Ｍ〜１Ｍ；０．０２５Ｍ〜０．７５Ｍ；０．０５Ｍ〜０．７５Ｍ；０．１Ｍ〜０．５Ｍ；０．１５Ｍ〜０．４Ｍ；０．２Ｍ〜０．３Ｍ；および０．２５Ｍの１つまたは複数のモル／リットル（Ｍ）で水酸化物濃度を確立するのに有効な量で存在する、請求項１に記載の単相水溶液。
【請求項５】
無機塩基組成物が水酸化ナトリウムを含む、請求項１に記載の単相水溶液。
【請求項６】
無機塩基組成物が約１％の水に対する重量パーセント濃度（ｗ／ｗ）で水酸化ナトリウムを含む、請求項１に記載の単相水溶液。
【請求項７】
安定な過酸化物組成物がケイ酸のアルカリ金属塩を含む、請求項１に記載の単相水溶液。
【請求項８】
安定な過酸化物組成物がケイ酸ナトリウムを含む、請求項１に記載の単相水溶液。
【請求項９】
安定な過酸化物組成物が無機塩基組成物から水酸化物への分子比で存在し、分子比が約、１：１〜１：２０；１：２〜１：１８；１：５〜１：１５；１：６〜１：１４；１：７〜１：１３；１：８〜１：１２；１：９〜１：１１；および１：１０の１つまたは複数である、請求項１に記載の単相水溶液。
【請求項１０】
安定な過酸化物組成物がシリケート塩を含み、安定な過酸化物組成物が約、０．００１２５Ｍ〜０．１Ｍ；０．００２５Ｍ〜０．０７５Ｍ；０．００５Ｍ〜０．０７５Ｍ；０．０１Ｍ〜０．０５Ｍ；０．０１５Ｍ〜０．０４Ｍ；０．０２Ｍ〜０．０３Ｍ；および０．０２５Ｍの１つまたは複数からのモル濃度を有するシリケート濃度を提供するのに有効な量で存在する、請求項１に記載の単相水溶液。
【請求項１１】
安定な過酸化物組成物が約、０．０１％〜１％；０．０５％〜０．７５％；０．１％〜０．５％；０．２％〜０．４％；および０．３％の１つまたは複数の水に対する重量パーセント濃度（ｗ／ｗ）でケイ酸ナトリウムを含む、請求項１に記載の単相水溶液。
【請求項１２】
界面活性剤組成物がテトラアルキルアンモニウム塩およびアルキルポリアルキレングリコールエーテルの１つまたは複数を含む、請求項１に記載の単相水溶液。
【請求項１３】
界面活性剤組成物が少なくとも１つのテトラアルキルアンモニウム塩を含み、それぞれのテトラアルキルアンモニウム塩が３つのＣ１−Ｃ４アルキル基および１つのＣ８−Ｃ２０アルキル基を含む、請求項１に記載の単相水溶液。
【請求項１４】
界面活性剤組成物が少なくとも１つのアルキルトリメチルアンモニウム塩を含み、それぞれのアルキルトリメチルアンモニウムハロゲン化物塩が１つのＣ１２−Ｃ１８アルキル基を含む、請求項１に記載の単相水溶液。
【請求項１５】
界面活性剤組成物が少なくとも１つのテトラアルキルアンモニウム塩を含み、それぞれのテトラアルキルアンモニウム塩が対イオンとしてフッ化物、塩化物、臭化物、またはヨウ化物の１つを含む、請求項１に記載の単相水溶液。
【請求項１６】
界面活性剤組成物がトリメチルヘキサデシルアンモニウム塩化物を含む、請求項１に記載の単相水溶液。
【請求項１７】
界面活性剤組成物が約、０．０１％〜０．５％；０．０２５％〜０．４５％；０．０５％〜０．４％；０．０７５％〜０．３５％；０．１％〜０．３％；０．１％〜０．２％；および０．１５％の１つまたは複数の水に比較したパーセント（ｗ／ｗ）で少なくとも１つのテトラアルキルアンモニウム塩を含む、請求項１に記載の単相水溶液。
【請求項１８】
界面活性剤組成物が少なくとも１つのアルキルポリエチレングリコールエーテルを含む、請求項１に記載の単相水溶液。
【請求項１９】
界面活性剤組成物が少なくとも１つのアルキルポリエチレングリコールエーテルを含み、それぞれの少なくとも１つのアルキルポリエチレングリコールエーテルが２〜８のエチレンオキシド反復単位を含む、請求項１に記載の単相水溶液。
【請求項２０】
界面活性剤組成物が少なくとも１つのアルキルポリエチレングリコールエーテルを含み、それぞれの少なくとも１つのアルキルポリエチレングリコールエーテルがＣ６−Ｃ１８アルキル基を含む、請求項１に記載の単相水溶液。
【請求項２１】
界面活性剤組成物が少なくとも１つのＣ１０−Ｃ１４アルキルポリ（５）エチレングリコールエーテルを含む、請求項１に記載の単相水溶液。
【請求項２２】
界面活性剤組成物が約、０．０１％〜１％；０．０５％〜０．７５％；０．１％〜０．５％；０．１５％〜０．４％；０．２５％〜０．３５％；および０．３％の１つまたは複数の水に比較したパーセント（ｗ／ｗ）で少なくとも１つのアルキルポリエチレングリコールエーテルを含む、請求項１に記載の単相水溶液。
【請求項２３】
約、１０〜１４；１０．５〜１４；１１〜１４；１１．５〜１４；１２〜１４；および１２．５〜１３．５の１つまたは複数のｐＨ値により特徴付けられる、請求項１に記載の単相水溶液。
【請求項２４】
約、９２％、９３％、９４％、９５％、９６％、９７％、９８％、９９％、９９．１％、９９．２％、９９．３％、９９．４％、および９９．５％の少なくとも１つまたは複数の単相水溶液の重量パーセント濃度（ｗ／ｗ）で水を含む、請求項１に記載の単相水溶液。
【請求項２５】
本質的に、無機塩基組成物；安定な過酸化物組成物；界面活性剤組成物；および約、９２％、９３％、９４％、９５％、９６％、９７％、９８％、９９％、９９．１％、９９．２％、９９．３％、９９．５％、および９９．５％の少なくとも１つまたは複数の単相水溶液の重量パーセント濃度（ｗ／ｗ）での水からなる、請求項１に記載の単相水溶液。
【請求項２６】
ポリマーフィルム（ポリマーフィルムは１つまたは複数のコーティングを含む）；並びに
水；無機塩基組成物；安定な過酸化物組成物；および界面活性剤組成物を含む単相水溶液
を含む、処理混合物。
【請求項２７】
ポリマーフィルムがポリエチレンテレフタレート、ポリエチレン、ポリプロピレン、ポリカーボネート、およびポリスチレンの１つまたは複数を含む、請求項２６に記載の処理混合物。
【請求項２８】
ポリマーフィルムが単層または多層フィルムを含む、請求項２６に記載の処理混合物。
【請求項２９】
ポリマーフィルムが単層または多層ポリエチレンテレフタレートフィルムを含む、請求項２６に記載の処理混合物。
【請求項３０】
ポリマーフィルムが切断されている、粉砕されている、または細断されている、請求項２６に記載の処理混合物。
【請求項３１】
ポリマーフィルムがサーマルインクプリンターリボンを含む、請求項２６に記載の処理混合物。
【請求項３２】
約、１０：１〜５０：１；１５：１〜４０：１；２０：１〜３０：１；および２５：１の１つまたは複数のポリマーフィルムに対する重量比で水を含む、請求項２６に記載の処理混合物。
【請求項３３】
１つまたは複数のコーティングがペイント、インク、染料、粉体塗装、紙ラベル、基材樹脂、バックコーティング、プラスチックラベル、接着剤、バリアコーティング、金属化コーティング、およびバイオコーティングの１つまたは複数を含む、請求項２６に記載の処理混合物。
【請求項３４】
単相水溶液が請求項１〜２５のいずれか一項に記載の単相水溶液を含む、請求項２６に記載の処理混合物。
【請求項３５】
水；無機塩基組成物；安定な過酸化物組成物；および界面活性剤組成物を含む単相水溶液を提供すること（１０２）；
ポリマーフィルム（ポリマーフィルムは１つまたは複数のコーティングを含む）を提供すること（１０４）；および
ポリマーフィルムから１つまたは複数のコーティングの一部分を除去するのに有効な条件下で単相水溶液およびポリマーフィルムを接触させて処理混合物を形成すること（１０６）
を含む、単相水溶液を用いてポリマーフィルムから１つまたは複数のコーティングを除去するための方法（１００）。
【請求項３６】
ポリマーフィルムから１つまたは複数のコーティングの一部分を除去するのに有効な条件が処理混合物を加熱することを含む、請求項３５に記載の方法。
【請求項３７】
ポリマーフィルムから１つまたは複数のコーティングの一部分を除去するのに有効な条件が約、５０℃〜１００℃；６０℃〜１００℃；６５℃〜１００℃；７０℃〜１００℃；７５℃〜９５℃；８０℃〜９０℃；および８５℃の１つまたは複数の温度で処理混合物を加熱することを含む、請求項３５に記載の方法。
【請求項３８】
ポリマーフィルムから１つまたは複数のコーティングの一部分を除去するのに有効な条件が、
初期コーティング量を決定すること；処理混合物を加熱および撹拌すること；初期コーティング量のパーセンテージより低い処理コーティング量を決定すること；および処理コーティング量が初期コーティング量のパーセンテージより低いと決定する際にポリマーフィルムを回収すること（初期コーティング量のパーセンテージが約、２０％、１５％、１４％、１３％、１２％、１１％、１０％、９％、８％、７％、６％、５％、４％、３％、２％、および１％の１つまたは複数である）
を含む、請求項３５に記載の方法。
【請求項３９】
ポリマーフィルムから１つまたは複数のコーティングの一部分を除去するのに有効な条件が処理混合物を撹拌することを含む、請求項３５に記載の方法。
【請求項４０】
１つまたは複数のコーティングの一部分の除去後にポリマーフィルムを回収することをさらに含む、請求項３５に記載の方法。
【請求項４１】
１つまたは複数のコーティングの一部分の除去後に単相水溶液の少なくとも一部分を回収することをさらに含む、請求項３３に記載の方法。
【請求項４２】
バッチ操作および連続操作の１つまたは複数を含む操作によりポリマーフィルムから１つまたは複数のコーティングの一部分を除去することを含む、請求項３５に記載の方法。
【請求項４３】
ポリマーフィルムが多層フィルムを含み、多層フィルムの層の少なくとも一部分を分離することをさらに含む、請求項３５に記載の方法。
【請求項４４】
約、１０：１〜５０：１；１５：１〜４０：１；２０：１〜３０：１；および２５：１の１つまたは複数のポリマーフィルムに対する重量比で水を提供することを含む、請求項３５に記載の方法。
【請求項４５】
無機塩基組成物；界面活性剤組成物；および安定な過酸化物組成物の水への段階的な添加により単相水溶液を形成することをさらに含む、請求項３５に記載の方法。
【請求項４６】
請求項１〜２５のいずれか一項に記載の単相水溶液を提供することを含む、請求項３５に記載の方法。
【請求項４７】
請求項１〜２５のいずれか一項に記載の単相水溶液を調製することをさらに含む、請求項３５に記載の方法。
【請求項４８】
ポリマーフィルムと単相水溶液を接触させて請求項２６〜３４のいずれか一項に記載の処理混合物を形成することを含む、請求項３５に記載の方法。
【請求項４９】
無機塩基組成物、安定な過酸化物組成物、および界面活性剤組成物；の１つまたは複数、並びに
指示書（指示書は無機塩基組成物、安定な過酸化物組成物、および界面活性剤組成物を水と混ぜ合わせて単相水溶液を形成するよう使用者に指示する）
を含む、ポリマーフィルムから１つまたは複数のコーティングを除去するための単相水溶液を作製するためのキット。
【請求項５０】
無機塩基組成物、安定な過酸化物組成物、および界面活性剤組成物を含む、請求項４９に記載のキット。
【請求項５１】
乾燥組成物またはニート組成物として無機塩基組成物、安定な過酸化物組成物、および界面活性剤組成物の少なくとも１つを含む、請求項４９に記載のキット。
【請求項５２】
混合物中でそれぞれ乾燥組成物またはニート組成物として、無機塩基組成物、安定な過酸化物組成物、および界面活性剤組成物の２つ以上の混合物を含む、請求項４９に記載のキット。
【請求項５３】
無機塩基組成物、安定な過酸化物組成物、および界面活性剤組成物の２つ以上の混合物を水性濃縮物の形態で水と共に含む、請求項４９に記載のキット。
【請求項５４】
指示書が１つまたは複数のコーティングを含むポリマーフィルムに単相水溶液を接触させることにより処理混合物を形成するよう使用者にさらに指示する、請求項４９に記載のキット。
【請求項５５】
指示書が１つまたは複数のコーティングを含むポリマーフィルムに単相水溶液を接触させることにより請求項２６〜３４のいずれか一項に記載の処理混合物を形成するよう使用者にさらに指示する、請求項４９に記載のキット。
【請求項５６】
指示書が請求項３５〜４８のいずれか一項に記載の方法を行うよう使用者にさらに指示する、請求項５５に記載のキット。
【請求項５７】
指示書が無機塩基組成物、安定な過酸化物組成物、および界面活性剤組成物を水と混ぜ合わせて請求項１〜２５のいずれか一項に記載の単相水溶液を形成するよう使用者に指示する、請求項４９に記載のキット。
【発明の詳細な説明】
【技術分野】
【０００１】
関連出願の相互参照
本出願は、２０１５年２月２１日に出願された米国仮特許出願番号６２／１１９，１６２号の優先権を主張し、それはその全体において本明細書中に参照により組み込まれる。
【背景技術】
【０００２】
リサイクル工程において形成される細断された、粉砕された、または切断されたフィルムなどの、ポリマーフィルムは、望ましくないコーティングを含み得る。例えば、コーティングは、例えば、サーマルインクプリンターリボン上に、インク、ラベル、接着剤、金属フィルムなどを含み得る。再生プラスチックのためのリサイクル原料などの、フィルムのさらなる使用の前に、望まれないコーティングを除去するために、かかるポリマーフィルムを処理することが望ましい。既存の処理は、コーティングを除去するために、極端な苛性溶液、高温および／または高圧、または高価な試薬を使用する。
【０００３】
本出願は、ポリマーフィルムからコーティングを除去することは、困難的な試みであるかもしれないと理解する。
【発明の概要】
【０００４】
一態様において、単相水溶液が提供される。単相水溶液は、ポリマーフィルムから１つまたは複数のコーティングを除去するために使用され得る。単相水溶液は、水を含み得る。単相水溶液は、無機塩基組成物を含み得る。単相水溶液は、安定な過酸化物組成物を含み得る。単相水溶液は、界面活性剤組成物を含み得る。
【０００５】
別の態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、無機塩基組成物を含み得る。単相水溶液は、安定な過酸化物組成物を含み得る。単相水溶液は、界面活性剤組成物を含み得る。
【０００６】
一態様において、方法は、単相水溶液を用いてポリマーフィルムから１つまたは複数のコーティングを除去するために提供される。方法は、単相水溶液を提供することを含み得る。単相水溶液は、水；無機塩基組成物；安定な過酸化物組成物；および界面活性剤組成物を含み得る。方法は、ポリマーフィルムを提供することを含み得る。ポリマーフィルムは、１つまたは複数のコーティングを含み得る。方法は、ポリマーフィルムから１つまたは複数のコーティングの一部分を除去するのに有効な条件下で、単相水溶液およびポリマーフィルムを接触させて処理混合物を形成することを含み得る。
【０００７】
別の態様において、キットが提供される。キットは、ポリマーフィルムから１つまたは複数のコーティングを除去するための単相水溶液を作製するためであり得る。キットは、無機塩基組成物、安定な過酸化物組成物、および界面活性剤組成物の１つまたは複数を含み得る。キットは、指示書を含み得る。指示書は、無機塩基組成物、安定な過酸化物組成物、および界面活性剤組成物を水と混ぜ合わせて単相水溶液を形成するよう使用者に指示し得る。
【０００８】
本明細書に組み込まれてその一部を構成する、添付の図は、方法および装置の例を図示し、単に実施態様例を説明するために使用される。
【図面の簡単な説明】
【０００９】
【図１】方法例を記載するフロー図である。
【図２】キット例のブロック図である。
【発明を実施するための形態】
【００１０】
本出願は、プラスチックフィルムから１つまたは複数のコーティングを除去するための、組成物、処理混合物、およびキットに関連する。
【００１１】
さまざまな態様において、単相水溶液が提供される。単相水溶液は、ポリマーフィルムから１つまたは複数のコーティングを除去するために使用され得る。単相水溶液は、無機塩基組成物を含み得る。単相水溶液は、安定な過酸化物組成物を含み得る。単相水溶液は、界面活性剤組成物を含み得る。
【００１２】
本明細書中のさまざまな態様は、用語「含む（ｉｎｃｌｕｄｉｎｇ）」または特許請求の範囲において、用語「含む（ｃｏｍｐｒｉｓｉｎｇ）」およびそれらの文法的な変形について言及し得る。かかる態様のそれぞれについて、用語「含む（ｃｏｍｐｒｉｓｉｎｇ）」が「本質的にからなる」および「からなる」で置き換えられる、対応する追加の態様が、明確に熟慮される。例えば、単相水溶液は、本質的に、水；無機塩基組成物；安定な過酸化物組成物；および界面活性剤組成物からなり得る。さらに、例えば、単相水溶液は、水；無機塩基組成物；安定な過酸化物組成物；および界面活性剤組成物からなり得る。
【００１３】
いくつかの態様において、無機塩基組成物は、アルカリ金属水酸化物、アルカリ土類金属酸化物、およびアルカリ土類金属水酸化物の１つまたは複数を含み得る。さらに、無機塩基組成物は、アルカリ金属水酸化物、アルカリ土類金属酸化物、またはアルカリ土類金属水酸化物の１つまたは複数からなり得るか、または本質的になり得る。本明細書中で使用されるように、アルカリ金属は、例えば、リチウム、ナトリウム、カリウム、ルビジウム、またはセシウムを含み得る。アルカリ土類金属は、例えば、ベリリウム、マグネシウム、カルシウム、ストロンチウム、またはバリウムを含み得る。例えば、無機塩基組成物は、水酸化リチウム、水酸化ナトリウム、水酸化カリウム、酸化マグネシウム、酸化カルシウム、水酸化マグネシウム、および水酸化カルシウムの１つまたは複数を含み得る。無機塩基組成物は、水酸化リチウム、水酸化ナトリウム、水酸化カリウム、酸化マグネシウム、酸化カルシウム、水酸化マグネシウム、または水酸化カルシウムの１つまたは複数からなり得るか、または本質的になり得る。無機塩基組成物は、水酸化ナトリウムを含み得る。無機塩基組成物は、水酸化ナトリウムからなり得るか、または本質的になり得る。無機塩基組成物は、約、０．０１２５Ｍ〜１Ｍ；０．０２５Ｍ〜０．７５Ｍ；０．０５Ｍ〜０．７５Ｍ；０．１Ｍ〜０．５Ｍ；０．１５Ｍ〜０．４Ｍ；０．２Ｍ〜０．３Ｍ；および０．２５Ｍの１つまたは複数の、単相水溶液でのモル／リットル（Ｍ）で水酸化物濃度を確立するのに有効な量で存在し得る。無機塩基組成物は、水酸化ナトリウムを、例えば、約１％の単相水溶液中の水に対する重量パーセント濃度（ｗ／ｗ）で水酸化ナトリウムを含み得る。無機塩基組成物は、固体としてまたは混合物あるいは水溶液、例えば、５０％水酸化ナトリウム水溶液として提供され得る。
【００１４】
いくつかの態様において、安定な過酸化物組成物は、ケイ酸のアルカリ金属塩を含み得る。例えば、安定な過酸化物組成物は、リチウム、ナトリウム、カリウムとのケイ酸の塩を含み得、例えば、安定な過酸化物組成物は、ケイ酸ナトリウムを含み得る。安定な過酸化物組成物は、無機塩基組成物から水酸化物に対するモル比で存在し得、モル比は約、１：１〜１：２０；１：２〜１：１８；１：５〜１：１５；１：６〜１：１４；１：７〜１：１３；１：８〜１：１２；１：９〜１：１１；および１：１０の１つまたは複数である。安定な過酸化物組成物は、約、０．００１２５Ｍ〜０．１Ｍ；０．００２５Ｍ〜０．０７５Ｍ；０．００５Ｍ〜０．０７５Ｍ；０．０１Ｍ〜０．０５Ｍ；０．０１５Ｍ〜０．０４Ｍ；０．０２Ｍ〜０．０３Ｍ；および０．０２５Ｍの１つまたは複数のモル濃度を有する単相水溶液中のシリケート濃度を提供するのに有効な量でシリケート塩を含み得る。例えば、安定な過酸化物組成物は、約、０．０１％〜１％；０．０５％〜０．７５％；０．１％〜０．５％；０．２％〜０．４％；および０．３％の１つまたは複数の単相水溶液中の水に対する重量パーセント濃度（ｗ／ｗ）でケイ酸ナトリウムを含み得る。
【００１５】
さまざまな態様において、界面活性剤組成物は、テトラアルキルアンモニウム塩およびアルキルポリアルキレングリコールエーテルの１つまたは複数を含み得る。例えば、界面活性剤組成物は、テトラアルキルアンモニウム塩；アルキルポリアルキレングリコールエーテル；およびテトラアルキルアンモニウム塩およびアルキルポリアルキレングリコールエーテルの１つを含み得る。それぞれのテトラアルキルアンモニウム塩は、ハロゲン化物、水酸化物、または硫酸化物などとの塩であり得る。それぞれのテトラアルキルアンモニウム塩は、例えば、メチル、エチル、プロピル、２−プロピル、ブチル、ｓｅｃ−ブチル、およびｔｅｒｔ−ブチルなどといったＣ１−Ｃ４アルキル基を三つ含み得る。それぞれのテトラアルキルアンモニウム塩は、例えば、オクチル、ノニル、デシル、ウンデシル、ドデシル、テトラデシル、ヘキサデシル、およびオクタデシルなどといったＣ８−Ｃ２０アルキル基を１つ含み得る。界面活性剤組成物は、例えば、少なくとも１つのアルキルトリメチルアンモニウム塩を含み得る。それぞれのアルキルトリメチルアンモニウムハロゲン化物塩は、例えば、Ｃ１２−Ｃ１８アルキル基を１つ含み得る。界面活性剤組成物は、対イオンとして、フッ化物、塩化物、臭化物、またはヨウ化物の１つを含む、テトラアルキルアンモニウム塩を少なくとも１つ含み得る。例えば、界面活性剤組成物は、トリメチルヘキサデシルアンモニウムクロリドを含み得る。界面活性剤組成物は、約、０．０１％〜０．５％；０．０２５％〜０．４５％；０．０５％〜０．４％；０．０７５％〜０．３５％；０．１％〜０．３％；０．１％〜０．２％；および０．１５％の１つまたは複数の水に比較したパーセント（ｗ／ｗ）で少なくとも１つのテトラアルキルアンモニウム塩を含み得る。
【００１６】
界面活性剤組成物のためのテトラアルキルアンモニウム塩の適切な商業的なソースとしては、例えば、ＡＲＱＵＡＤ（登録商標）１６−５０（Ａｋｚｏ−Ｎｏｂｅｌ  Ｓｕｒｆａｃｅ  Ｃｈｅｍｉｓｔｒｙ  ＬＬＣ，  Ｃｈｉｃａｇｏ，  ＩＬ）といった、例えば、ＡＲＱＵＡＤ（登録商標）シリーズが挙げられる。例えば、ＡＲＱＵＡＤ（登録商標）１６−５０の商業的に利用可能な調製物は、イソプロパノール／水中に約４５〜５５％トリメチルヘキサデシルアンモニウム塩化物（ｗ／ｗ）を含み得る。約０．３％（ｗ／ｗ）ＡＲＱＵＡＤ（登録商標）１６−５０を含む単相水溶液の調製は、約０．１５％（ｗ／ｗ）トリメチルヘキサデシルアンモニウム塩化物を含む単相水溶液をもたらし得る。
【００１７】
いくつかの態様において、界面活性剤組成物は、少なくとも１つのアルキルポリエチレングリコールエーテルを含み得る。それぞれのアルキルポリエチレングリコールエーテルは、２〜３０、２〜２４、３〜１８、３〜１２、３〜１０、２〜８、または５の１つまたは複数の多数のエチレンオキシド反復単位を含み得る。例えば、それぞれのアルキルポリエチレングリコールエーテルは、２〜８のエチレンオキシド反復単位を含み得る。それぞれのアルキルポリエチレングリコールエーテルは、Ｃ６−Ｃ１８アルキル基；Ｃ８−Ｃ１６アルキル基；およびＣ１０−Ｃ１４アルキル基の１のアルキル基を含み得る。例えば、界面活性剤組成物は、少なくとも１つのＣ１０−Ｃ１４アルキルポリ（５）エチレングリコールエーテルを含み得る。界面活性剤組成物は、約、０．０１％〜１％；０．０５％〜０．７５％；０．１％〜０．５％；０．１５％〜０．４％；０．２５％〜０．３５％；および０．３％の１つまたは複数の単相水溶液の水に比較したパーセント（ｗ／ｗ）で少なくとも１つのアルキルポリエチレングリコールエーテルを含み得る。界面活性剤組成物のためのアルキルポリエチレングリコールエーテルの適切な商業的なソースとしては、例えば、ＥＴＨＹＬＡＮ（商標）  ＳＮ−７０といった、例えば、ＥＴＨＹＬＡＮ（商標）シリーズ（Ａｋｚｏ−Ｎｏｂｅｌ  Ｓｕｒｆａｃｅ  Ｃｈｅｍｉｓｔｒｙ  ＬＬＣ，  Ｃｈｉｃａｇｏ，  ＩＬ）が挙げられ得る。
【００１８】
さまざまな態様において、請求項に記載の単相水溶液は、約、１０〜１４；１０．５〜１４；１１〜１４；１１．５〜１４；１２〜１４；および１２．５〜１３．５の１つまたは複数のｐＨ値により特徴付けられ得る。単相水溶液は、約、９２％、９３％、９４％、９５％、９６％、９７％、９８％、９９％、９９．１％、９９．２％、９９．３％、９９．４％、および９９．５％の少なくとも１つまたは複数の単相水溶液の重量パーセント濃度（ｗ／ｗ）で水を含み得る。さらに、例えば、単相水溶液は、無機塩基組成物；安定な過酸化物組成物；界面活性剤組成物；並びに約、９２％、９３％、９４％、９５％、９６％、９７％、９８％、９９％、９９．１％、９９．２％、９９．３％、９９．４％、および９９．５％の少なくとも１つまたは複数の単相水溶液の重量パーセント濃度（ｗ／ｗ）での水からなり得るか、本質的になり得る。
【００１９】
さまざまな態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、無機塩基組成物を含み得る。単相水溶液は、安定な過酸化物組成物を含み得る。単相水溶液は、界面活性剤組成物を含み得る。処理混合物は、ポリマーフィルムおよび単相水溶液から本質的になり得るか、それからなり得る。
【００２０】
いくつかの態様において、１つまたは複数のコーティングは、例えば、ペイント、インク、染料、粉体塗装、紙ラベル、プラスチックラベル、接着剤、基材樹脂、バックコート、バリアコーティング、金属化コーティングまたはバイオコーティングの１つまたは複数を含み得る。バイオコーティングは、例えば、タンパク質ベース、オリゴ糖ベースなどであり得る。金属化コーティングは、連続フィルムまたは金属粒子を含み得る。
【００２１】
いくつかの態様において、ポリマーフィルムは、例えば、リサイクル処理の一部として例えば、粉砕された、細断された、または切断されたフィルムの断片のように、粉々であるいは粒子状であり得る。ポリマーフィルムは、例えば、粉々でまたは粒子状であり得、リサイクルされた；バージンプラスチック製の；固い；フレキシブルな、例えば、フィルムまたは多層フィルム；線維性の；それらの混合物などの１つまたは複数であり得る。ポリマーフィルムは、ポリエチレンテレフタレート、ポリエチレン、ポリプロピレン、ポリカーボネート、ポリスチレンなどの１つまたは複数を含み得る。いくつかの態様において、ポリマーフィルムは、ポリエチレンテレフタレートフィルム、例えば、単層または多層化ポリエチレンフィルムを含み得る。ポリマーフィルムは、サーマルインクプリンターリボンを含み得る。ポリマーフィルムは、約、０．７５インチ、０．５インチ、０．４インチ、または０．３７５インチ未満、の１つ以上のメッシュサイズの複数の断片を含み得る。処理混合物は、約、１０：１〜５０：１；１５：１〜４０：１；２０：１から３０：１；および２５：１、の１つまたは複数のポリマーフィルムに対する重量比で水を含み得る。
【００２２】
さまざまな態様において、処理混合物は、単相水溶液および本明細書中で記載される単相水溶液についてのいずれかの特徴または値を含み得る。
【００２３】
さまざまな態様において、単相水溶液を用いるポリマーフィルムから１つまたは複数のコーティングを除去するための方法（１００）が提供される。図１は、方法（１００）のフローチャートを描く。方法は、単相水溶液を提供すること（１０２）を含み得る。単相水溶液は、水を含み得る。単相水溶液は、無機塩基組成物、例えば、本明細書中に記載された無機塩基組成物を含み得る。単相水溶液は、安定な過酸化物組成物、例えば、本明細書中に記載された安定な過酸化物組成物を含み得る。単相水溶液は、界面活性剤組成物を含み得る。方法は、１つまたは複数ポリマーフィルム（ポリマーフィルムは１つまたは複数のコーティングを含む）を提供すること（１０４）を含み得る。方法は、ポリマーフィルムから１つまたは複数のコーティングの一部分を除去するのに有効な条件下で単相水溶液およびポリマーフィルムを接触させて処理混合物を形成すること（１０６）を含み得る。
【００２４】
いくつかの態様において、ポリマーフィルムから１つまたは複数のコーティングの一部分を除去するのに有効な条件は、処理混合物を加熱することを含み得る。処理混合物は、約６０℃〜約１００℃；６５℃〜約１００℃；約７０℃〜約１００℃；約７５℃〜約９５℃；約８０℃〜約９０℃；および約８５℃；またはおよそ、前述の値のいずれか二つの間、またはおよそ、前述の値のいずれか、例えば、約６０℃〜約１００℃または約８５℃の温度で加熱され得る加熱され得る。
【００２５】
いくつかの態様において、ポリマーフィルムから１つまたは複数のコーティングの一部分を除去するのに有効な条件は、初期コーティング量を決定すること；処理混合物を加熱および撹拌すること；初期コーティング量のおよそのパーセンテージより低い処理コーティング量を決定すること；および処理コーティング量が初期コーティング量のパーセンテージより低いと決定する際にポリマーフィルムを回収することを含み得る（初期コーティング量のパーセンテージは約、２０％、１５％、１４％、１３％、１２％、１１％、１０％、９％、８％、７％、６％、５％、４％、３％、２％、または１％の１つまたは複数である）。
【００２６】
さまざまな態様において、ポリマーフィルムから１つまたは複数のコーティングの一部分を除去するのに有効な条件は、処理混合物を撹拌することを含み得る。方法は、１つまたは複数のコーティングの一部分の除去後にポリマーフィルムを回収することをさらに含み得る。方法は、１つまたは複数のコーティングの一部分の除去後に単相水溶液の少なくとも一部分を回収することをさらに含み得る。ポリマーフィルムから１つまたは複数のコーティングの一部分を除去するのに有効な条件は、バッチ操作を含み得る。１つまたは複数のコーティングの一部分を除去するのに有効な条件は、連続操作を含み得る。方法は、無機塩基組成物；界面活性剤組成物；および安定な過酸化物組成物の水への段階的な添加により単相水溶液を用いるおよび／または形成することも含み得る。
【００２７】
いくつかの態様において、ポリマーフィルムは、多層フィルムを含み得、方法は、多層フィルムの層の少なくとも一部分を分離することをさらに含み得る。方法は、約、１０：１〜５０：１；１５：１〜４０：１；２０：１〜３０：１；および２５：１の１つまたは複数のポリマーフィルムに対する重量比で水を提供することを含み得る。
【００２８】
いくつかの態様において、方法は、本明細書中に記載される単相水溶液についての特徴または値のいずれかによる単相水溶液を提供することを含み得る。方法は、本明細書中に記載される単相水溶液についての特徴または値のいずれかによる単相水溶液を調製することを含み得る。方法は、本明細書中に記載される処理混合物についてのいずれかの特徴または値による処理混合物を提供することを含み得る。方法は、本明細書中に記載される処理混合物についてのいずれかの特徴または値による処理混合物を調製することを含み得る。例えば、方法は、ポリマーフィルムと単相水溶液を接触させて処理混合物を形成することを含み得る。
【００２９】
さまざまな態様において、キット（２００）が提供される。図２は、キット（２００）のブロック図を描く。キット（２００）は、ポリマーフィルムから１つまたは複数のコーティングを除去するための単相水溶液を作製するためであり得る。キットは、無機塩基組成物、安定な過酸化物組成物、および界面活性剤組成物の１つまたは複数（２０２）を含み得る。キットは、指示書（２０４）を含み得る。指示書は、無機塩基組成物、安定な過酸化物組成物、および界面活性剤組成物を水と混ぜ合わせて単相水溶液を形成するよう使用者に指示し得る。
【００３０】
いくつかの態様において、キットは、無機塩基組成物、安定な過酸化物組成物、および界面活性剤組成物を含み得る。キットは、乾燥組成物またはニート組成物として無機塩基組成物、安定な過酸化物組成物、および界面活性剤組成物の少なくとも１つを含み得る。例えば、キットは、固形ペレットまたはフレークの形態で水酸化ナトリウムを含み得る。キットは、無機塩基組成物、安定な過酸化物組成物、および界面活性剤組成物の２つ以上の混合物を、それぞれ混合物中で乾燥組成物またはニート組成物として含み得る。キットは、無機塩基組成物、安定な過酸化物組成物、および界面活性剤組成物の２つ以上の混合物を水と共に水性濃縮物の形態で含み得る。例えば、キットは、ケイ酸ナトリウムおよび水酸化ナトリウムを一緒に濃縮物溶液で含み得る。
【００３１】
いくつかの態様において、指示書は、無機塩基組成物、安定な過酸化物組成物、および界面活性剤組成物を水と混ぜ合わせて本明細書中に記載されたいずれかの特徴または値による単相水溶液を形成するよう使用者に指示し得る。指示書は、例えば、本明細書中に記載されるいずれかの特徴または値による、ポリマーフィルムに単相水溶液を接触させることにより処理混合物を形成するよう使用者にさらに指示し得る。指示書は、単相水溶液を用いてポリマーフィルムから１つまたは複数のコーティングを除去するための本明細書中に記載される方法のいずれかを実施するよう使用者に指示し得る。キットは、本明細書中に記載されるいずれかの特徴または値による単相水溶液を提供し得る。キットは、本明細書中に記載されるいずれかの特徴または値による処理混合物を提供し得る。
【００３２】
実施例
およそ５０  ｌｂｓの温水を、約８５℃に加熱し、混合タンクに添加した。粉砕されたサーマルプリンターインクロールの形態のポリマーフィルムを得た。およそ２  ｌｂｓの粉砕されたサーマルインクロールフィルム、およそ０．３７５インチメッシュサイズ、を重量法的に水に添加し、混合してスラリーを形成した。初期のインク混入物、基材樹脂およびバックコートを決定した。スラリーに対して、２．０％（水の含有量に基づいたｗ／ｗ％）の５０％水酸化ナトリウム水溶液、０．３％ケイ酸ナトリウム、０．３％ＥＴＨＹＬＡＮ（商標）  ＳＮ−７０（Ａｋｚｏ  Ｎｏｂｅｌ  Ｓｕｒｆａｃｅ  Ｃｈｅｍｉｓｔｒｙ  ＬＬＣ，  Ｃｈｉｃａｇｏ，  ＩＬ）および０．３％ＡＲＱＵＡＤ（登録商標）１６−５０（Ａｋｚｏ  Ｎｏｂｅｌ  Ｓｕｒｆａｃｅ  Ｃｈｅｍｉｓｔｒｙ  ＬＬＣ，  Ｃｈｉｃａｇｏ，  ＩＬ）を順番に添加した。２時間で開始して、試料を、フィルムにコーティングがないと容認できるとみなされるまで、３０分おきに取った。およそ２時間で、フィルムは９６％クリーンであると決定された。およそ３．５時間で、フィルムは９８％＋クリーンであると決定された。混合物をフィルターに注ぎ入れて水相を除去し、生成物を水ですすぎ乾燥した。水相は、試薬の再使用および／またはリカバリーのために回収可能であった。
【００３３】
「含む（ｉｎｃｌｕｄｅｓ）」または「含む（ｉｎｃｌｕｄｉｎｇ）」という用語が本明細書または特許請求の範囲で使用される場合それは、「含む（ｃｏｍｐｒｉｓｉｎｇ）」という用語が特許請求の範囲で転換語として用いられる場合に解釈されるように、同様に包括的であると意図される。更に、「または」という用語が用いられる場合（例えば、ＡまたはＢ）それは、「ＡもしくはＢまたはその両方」を意味すると意図される。出願人が、「ＡまたはＢのみであり、両方ではない」を示すことを意図する場合は、「ＡまたはＢのみであり、両方ではない」という用語が用いられるだろう。このため、本明細書における「または」という用語の使用は、包括的であり、排他的な使用ではない。Ｂｒｙａｎ  Ａ．  Ｇａｒｎｅｒ，  Ａ  Ｄｉｃｔｉｏｎａｒｙ  ｏｆ  Ｍｏｄｅｒｎ  Ｌｅｇａｌ  Ｕｓａｇｅ  ６２４  （２ｄ．  Ｅｄ．  １９９５）を参照のこと。また、「中（ｉｎ）」または「中に（ｉｎｔｏ）」という用語が本明細書または特許請求の範囲において使用される場合それは、「上（ｏｎ）」または「上に（ｏｎｔｏ）」を更に意味すると意図される。「選択的に」という用語が本明細書または特許請求の範囲において使用される場合それは、装置の使用者が、装置の使用において必要であるまたは所望される構成要素の機構または機能を起動するまたは停止させ得る、構成要素の状態を指すと意図される。用語「動作可能に結合される」または「動作可能に接続される」が明細書または特許請求の範囲において使用される場合それは、同定された構成要素が指定された機能を実行するための方法で接続されることを意味すると意図される。用語「実質的に」が本明細書または特許請求の範囲において使用される場合それは、同定された構成要素が、その業種において受容可能であるはずの誤差の程度で示された関係または品質を有することを意味すると意図される。
【００３４】
本明細書および特許請求の範囲で使用されるとき、単数形の「ａ」、「ａｎ」、および「ｔｈｅ」は、単数と明示的に特定されない限り、複数形を含む。例えば、「化合物」への言及は、単一の化合物、および２つ以上の化合物の混合物を包含し得る。
【００３５】
本明細書中で使用されるように、数と併せた用語「約」は、その数字の±１０％を含むことが意図される。言い換えると、「約１０」は、９〜１１を意味し得る。
【００３６】
本明細書で使用する場合「任意選択の（ｏｐｔｉｏｎａｌ）」または「任意選択で（ｏｐｔｉｏｎａｌｌｙ）」という用語は、その状況が起こる場合およびそれが起こらない場合を記載に含むように、続いて説明される状況が起こってもよくまたは起こらなくてもよいことを意味する。
【００３７】
上に述べたように、本出願は、その実施形態の記述によって例示され、またその実施形態はかなり詳細に記載されたが、添付される特許請求の範囲をそのような詳細に制限するか、またはいずれの形でも限定することは出願人の意図ではない。更なる利点および修正は、本出願の利益を有する当業者には容易に明らかとなろう。したがって、本出願は、その広範な態様において、特定の詳細、示される例示的な例、または参照されるいずれの装置にも限定されない。全体的な発明概念の趣旨または範囲から逸脱することなく、そのような詳細、実施例、および装置から新たな発展が行われてもよい。
【００３８】
本明細書で使用する場合、「置換された」は、下で定義するような有機基（たとえばアルキル基）を指し、その基においてそれに含まれる水素原子への１個以上の結合が非水素または非炭素原子への結合により置き換えられる。置換された基は、（複数の）炭素または（複数の）水素原子への１個以上の結合が、ヘテロ原子への、二重または三重結合を含む１個以上の結合によって置き換えられる基も含む。置換される基は、別に特定しない限り、１つまたは複数の置換基によって置換され得る。いくつかの態様において、置換される基は、１、２、３、４、５、または６の置換基によって置換され得る。置換基の例としては、ハロゲン（すなわち、Ｆ、Ｃｌ、Ｂｒ、およびＩ）；ヒドロキシル；アルコキシ、アルケノキシ、アリールオキシ、アラルキルオキシ、ヘテロシクリルオキシ、およびヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−オキシド；ヒドラジン；ヒドラジド；ヒドラゾン；アジド；アミド；ウレア；アミジン；グアニジン；エナミン；イミド；イソシアネート；イソチオシアネート；シアネート；チオシアネート；イミン；ニトロ基；またはニトリル（すなわち、ＣＮ）が挙げられる。「ペル」置換された化合物または基は、すべてのまたは実質的にすべての置換可能な位置が、示された置換基で置換された化合物または基である。例えば、１，６−ジヨードペルフルオロヘキサンは式Ｃ６Ｆ１２Ｉ２の化合物を示し、ここですべての置換可能な水素がフッ素原子で置き換えられている。
【００３９】
置換シクロアルキル、アリール、ヘテロシクリルおよびヘテロアリール基などの置換環基は、水素原子への結合が炭素原子への結合によって置き換えられ得る環および環系も包含する。置換シクロアルキル、アリール、ヘテロシクリルおよびヘテロアリール基は、下に定義されるような置換または非置換アルキル、アルケニル、およびアルキニル基によっても置換され得る。
【００４０】
アルキル基は、１〜１２の炭素原子、および典型的には１〜１０の炭素、またはいくつかの例において、１〜８、１〜６、または１〜４の炭素原子を有する直鎖および分岐鎖アルキル基を包含する。直鎖アルキル基の例としては、メチル、エチル、ｎ−プロピル、ｎ−ブチル、ｎ−ペンチル、ｎ−ヘキシル、ｎ−ヘプチル、およびｎ−オクチル基などの基が挙げられる。分岐アルキル基の例としては、イソプロピル、イソ−ブチル、ｓｅｃ−ブチル、ｔｅｒｔ−ブチル、ネオペンチル、イソペンチル、および２，２−ジメチルプロピル基が挙げられるが、これらに限定されない。代表的な置換アルキル基は、上に挙げたものなどの置換基で一回以上置換され得、ハロアルキル（例えば、トリフルオロメチル）、ヒドロキシアルキル、チオアルキル、アミノアルキル、アルキルアミノアルキル、ジアルキルアミノアルキル、アルコキシアルキル、またはカルボキシアルキルを含むが、これに限定されない。
【００４１】
シクロアルキル基は、（複数の）環中に３〜１２の炭素原子、またはいくつかの態様において、３〜１０、３〜８、または３〜４、５もしくは６の炭素原子を有する単環式、２環式または３環式アルキル基を包含する。例示的な単環式シクロアルキル基としては、シクロプロピル、シクロブチル、シクロペンチル、シクロヘキシル、シクロヘプチル、およびシクロオクチル基が挙げられるが、これらに限定されない。いくつかの態様において、シクロアルキル基は、３〜８環員を有し、一方、ほかの態様において、環炭素原子の数は、３〜５、３〜６または３〜７に及ぶ。２および３環式環系は、ビシクロ［２．１．１］ヘキサン、アダマンチル、またはデカリニルなどの、架橋シクロアルキル基および縮合環のいずれをも含むが、これらに限定されない。置換されたシクロアルキル基は、上に定義されるような非水素および非炭素基で、一回以上、置換され得る。しかしながら、置換されたシクロアルキル基は、上に定義されるような直鎖または分岐鎖アルキル基で置換され得る環も含む。代表的な置換シクロアルキル基は、２，２−、２，３−、２，４−、２，５−または２，６−ジ置換されたシクロヘキシル基など、モノ置換され得るか、または１回より多く置換され得るが、これらに限定されず、これは上に挙げたものなどの置換基で置換され得る。
【００４２】
アリール基は、ヘテロ原子を含有しない環式芳香族炭化水素であり得る。本明細書中、アリール基は、単環系、２環系および３環系を包含する。アリール基としては、フェニル、アズレニル、ヘプタレニル、ビフェニル、フルオレニル、フェナントレニル、アントラセニル、インデニル、インダニル、ペンタレニル、およびナフチル基が挙げられるが、これらに限定されない。いくつかの態様において、アリール基は、基の環部分に、６〜１４の炭素を含有し、他において６〜１２またはさらに６〜１０の炭素原子を含有する。いくつかの態様において、アリール基はフェニルまたはナフチルであり得る。語句「アリール基」は縮合芳香族脂肪族環系（例えば、インダニルまたはテトラヒドロナフチル）などの縮合環を含有する基を含み得るが、「アリール基」は、環員の１つに結合した、アルキルまたはハロ基などの、他の基を有するアリール基を含まない。むしろ、トリルなどの基が、置換アリール基と呼ばれ得る。代表的な置換アリール基は、１置換され得るか、または１回より多く置換され得る。例えば、モノ置換されたアリール基としては、２−、３−、４−、５−、または６−置換されたフェニルまたはナフチルが挙げられるが、これらに限定されず、これは上記のものなどの置換基で置換され得る。
【００４３】
アラルキル基は、アルキル基の水素または炭素結合が上で定義したようなアリール基への結合によって置き換えられ得る、上で定義したようなアルキル基であり得る。いくつかの態様において、アラルキル基は、７〜１６個の炭素原子を、７〜１４個の炭素原子を、または７〜１０個の炭素原子を含有する。置換アラルキル基は、基のアルキル部分、アリール部分またはアルキル部分とアリール部分の両方にて置換され得る。代表的なアラルキル基としては、ベンジルおよびフェネチル基および縮合（シクロアルキルアリール）アルキル基、たとえば４−インダニルエチルが挙げられるが、それらに限定されない。代表的な置換アラルキルは、上に挙げた置換基によって１回以上置換され得る。
【００４４】
この技術の化合物中の２個以上の結合点を有する本明細書に記載される基（すなわち２価、３価または多価）は、接尾辞「エン」を使用して呼ぶことができる。たとえば、２価アルキル基はアルキレン基であり得、２価アリール基はアリーレン基であり得、２価ヘテロアリール基はヘテロアリーレン基であり得るなどである。特に、あるポリマーは、ポリマー反復単位を説明する用語と併せて接尾辞「エン」の使用により説明され得る。
【００４５】
アルコキシ基は、水素原子への結合が上で定義したような置換または非置換アルキル基の炭素原子への結合によって置き換えられ得る、ヒドロキシル基（−ＯＨ）であり得る。直鎖アルコキシ基の例としては、メトキシ、エトキシ、プロポキシ、ブトキシ、ペントキシ、またはヘキソキシが挙げられるが、それらに限定されない。分枝アルコキシ基の例としては、イソプロポキシ、ｓｅｃ−ブトキシ、ｔｅｒｔ−ブトキシ、イソペントキシまたはイソヘキソキシが挙げられるが、それらに限定されない。代表的な置換アルコキシ基は、上に挙げたものなどの置換基によって１回以上置換され得る。
【００４６】
本明細書で開示された多様な態様および実施形態は、例示のためであり、限定することを意図するものではなく、真の範囲および精神は、添付の特許請求の範囲によって示される。
【図１】
2018508629.tif 000002
【図２】
2018508629.tif 000003
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
水；
無機塩基組成物；
シリケート塩を含む安定な過酸化物組成物；および
界面活性剤組成物
を含む、ポリマーフィルムから１つまたは複数のコーティングを除去するための単相水溶液であって、
安定な過酸化物組成物がシリケート塩を含み、安定な過酸化物組成物が約０．００１２５Ｍ〜０．１Ｍのモル濃度を有するシリケート濃度を提供するのに有効な量で存在し；
安定な過酸化物組成物が約０．０１％〜１％の水に対する重量パーセント濃度（ｗ／ｗ）でケイ酸ナトリウムを含み；
界面活性剤組成物が約０．０１％〜０．５の水に比較したパーセント（ｗ／ｗ）で少なくとも１つのテトラアルキルアンモニウム塩を含み；および
界面活性剤組成物が約０．０１％〜１％の水に比較したパーセント（ｗ／ｗ）で少なくとも１つのアルキルポリエチレングリコールエーテルを含む、
の１つまたは複数である、単相水溶液。
【請求項２】
無機塩基組成物がアルカリ金属水酸化物、アルカリ土類金属酸化物、およびアルカリ土類金属水酸化物の１つまたは複数を含む、請求項１に記載の単相水溶液。
【請求項３】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項１に記載の単相水溶液。
【請求項４】
無機塩基組成物が約、０．０１２５Ｍ〜１Ｍ；０．０２５Ｍ〜０．７５Ｍ；０．０５Ｍ〜０．７５Ｍ；０．１Ｍ〜０．５Ｍ；０．１５Ｍ〜０．４Ｍ；０．２Ｍ〜０．３Ｍ；および０．２５Ｍの１つまたは複数のモル／リットル（Ｍ）で水酸化物濃度を確立するのに有効な量で存在する、請求項１に記載の単相水溶液。
【請求項５】
無機塩基組成物が水酸化ナトリウムを含む、請求項１に記載の単相水溶液。
【請求項６】
無機塩基組成物が約１％の水に対する重量パーセント濃度（ｗ／ｗ）で水酸化ナトリウムを含む、請求項１に記載の単相水溶液。
【請求項７】
シリケート塩がケイ酸のアルカリ金属塩を含む、請求項１に記載の単相水溶液。
【請求項８】
安定な過酸化物組成物がケイ酸ナトリウムを含む、請求項１に記載の単相水溶液。
【請求項９】
安定な過酸化物組成物が無機塩基組成物から水酸化物への分子比で存在し、分子比が約、１：１〜１：２０；１：２〜１：１８；１：５〜１：１５；１：６〜１：１４；１：７〜１：１３；１：８〜１：１２；１：９〜１：１１；および１：１０の１つまたは複数である、請求項１に記載の単相水溶液。
【請求項１０】
安定な過酸化物組成物がシリケート塩を含み、安定な過酸化物組成物が約、０．００１２５Ｍ〜０．１Ｍ；０．００２５Ｍ〜０．０７５Ｍ；０．００５Ｍ〜０．０７５Ｍ；０．０１Ｍ〜０．０５Ｍ；０．０１５Ｍ〜０．０４Ｍ；０．０２Ｍ〜０．０３Ｍ；および０．０２５Ｍの１つまたは複数のモル濃度を有するシリケート濃度を提供するのに有効な量で存在する、請求項１に記載の単相水溶液。
【請求項１１】
安定な過酸化物組成物が約、０．０１％〜１％；０．０５％〜０．７５％；０．１％〜０．５％；０．２％〜０．４％；および０．３％の１つまたは複数の水に対する重量パーセント濃度（ｗ／ｗ）でケイ酸ナトリウムを含む、請求項１に記載の単相水溶液。
【請求項１２】
界面活性剤組成物が少なくとも１つのテトラアルキルアンモニウム塩およびアルキルポリアルキレングリコールエーテルの１つまたは複数を含む、請求項１に記載の単相水溶液。
【請求項１３】
界面活性剤組成物が少なくとも１つのテトラアルキルアンモニウム塩を含み、それぞれの少なくとも１つのテトラアルキルアンモニウム塩が３つのＣ１−Ｃ４アルキル基および１つのＣ８−Ｃ２０アルキル基を含む、請求項１に記載の単相水溶液。
【請求項１４】
界面活性剤組成物が少なくとも１つのテトラアルキルアンモニウム塩を少なくとも１つのアルキルトリメチルアンモニウム塩として含み、それぞれのアルキルトリメチルアンモニウム塩が１つのＣ１２−Ｃ１８アルキル基を含む、請求項１に記載の単相水溶液。
【請求項１５】
界面活性剤組成物が少なくとも１つのテトラアルキルアンモニウム塩を含み、それぞれのテトラアルキルアンモニウム塩が対イオンとしてフッ化物、塩化物、臭化物、またはヨウ化物の１つを含む、請求項１に記載の単相水溶液。
【請求項１６】
界面活性剤組成物がトリメチルヘキサデシルアンモニウム塩化物を含む、請求項１に記載の単相水溶液。
【請求項１７】
界面活性剤組成物が約、０．０１％〜０．５％；０．０２５％〜０．４５％；０．０５％〜０．４％；０．０７５％〜０．３５％；０．１％〜０．３％；０．１％〜０．２％；および０．１５％の１つまたは複数の水に比較したパーセント（ｗ／ｗ）で少なくとも１つのテトラアルキルアンモニウム塩を含む、請求項１に記載の単相水溶液。
【請求項１８】
界面活性剤組成物が少なくとも１つのアルキルポリエチレングリコールエーテルを含む、請求項１に記載の単相水溶液。
【請求項１９】
界面活性剤組成物が少なくとも１つのアルキルポリエチレングリコールエーテルを含み、それぞれの少なくとも１つのアルキルポリエチレングリコールエーテルが２〜８のエチレンオキシド反復単位を含む、請求項１に記載の単相水溶液。
【請求項２０】
界面活性剤組成物が少なくとも１つのアルキルポリエチレングリコールエーテルを含み、それぞれの少なくとも１つのアルキルポリエチレングリコールエーテルがＣ６−Ｃ１８アルキル基を含む、請求項１に記載の単相水溶液。
【請求項２１】
界面活性剤組成物が少なくとも１つのＣ１０−Ｃ１４アルキルポリ（５）エチレングリコールエーテルを含む、請求項１に記載の単相水溶液。
【請求項２２】
界面活性剤組成物が約、０．０１％〜１％；０．０５％〜０．７５％；０．１％〜０．５％；０．１５％〜０．４％；０．２５％〜０．３５％；および０．３％の１つまたは複数の水に比較したパーセント（ｗ／ｗ）で少なくとも１つのアルキルポリエチレングリコールエーテルを含む、請求項１に記載の単相水溶液。
【請求項２３】
約、１０〜１４；１０．５〜１４；１１〜１４；１１．５〜１４；１２〜１４；および１２．５〜１３．５の１つまたは複数のｐＨ値により特徴付けられる、請求項１に記載の単相水溶液。
【請求項２４】
９２％、９３％、９４％、９５％、９６％、９７％、９８％、９９％、９９．１％、９９．２％、９９．３％、９９．４％、および９９．５％の少なくとも約１つまたは複数の単相水溶液の重量パーセント濃度（ｗ／ｗ）で水を含む、請求項１に記載の単相水溶液。
【請求項２５】
本質的に、無機塩基組成物；安定な過酸化物組成物；界面活性剤組成物；および９２％、９３％、９４％、９５％、９６％、９７％、９８％、９９％、９９．１％、９９．２％、９９．３％、９９．５％、および９９．５％の少なくとも約１つまたは複数の単相水溶液の重量パーセント濃度（ｗ／ｗ）での水からなる、請求項１に記載の単相水溶液。
【請求項２６】
ポリマーフィルム（ポリマーフィルムは１つまたは複数のコーティングを含む）；並びに
水；無機塩基組成物；シリケート塩を含む安定な過酸化物組成物；および界面活性剤組成物を含む単相水溶液
を含む、処理混合物であって、
安定な過酸化物組成物がシリケート塩を含み、安定な過酸化物組成物が約０．００１２５Ｍ〜０．１Ｍのモル濃度を有するシリケート濃度を提供するのに有効な量で存在し；
安定な過酸化物組成物が約０．０１％〜１％の水に対する重量パーセント濃度（ｗ／ｗ）でケイ酸ナトリウムを含み；
界面活性剤組成物が約０．０１％〜０．５の水に比較したパーセント（ｗ／ｗ）で少なくとも１つのテトラアルキルアンモニウム塩を含み；および
界面活性剤組成物が約０．０１％〜１％の水に比較したパーセント（ｗ／ｗ）で少なくとも１つのアルキルポリエチレングリコールエーテルを含む、
の１つまたは複数である、処理混合物。
【請求項２７】
ポリマーフィルムがポリエチレンテレフタレート、ポリエチレン、ポリプロピレン、ポリカーボネート、およびポリスチレンの１つまたは複数を含む、請求項２６に記載の処理混合物。
【請求項２８】
ポリマーフィルムが単層または多層フィルムを含む、請求項２６に記載の処理混合物。
【請求項２９】
ポリマーフィルムが単層または多層ポリエチレンテレフタレートフィルムを含む、請求項２６に記載の処理混合物。
【請求項３０】
ポリマーフィルムが切断されている、粉砕されている、または細断されている、請求項２６に記載の処理混合物。
【請求項３１】
ポリマーフィルムがサーマルインクプリンターリボンを含む、請求項２６に記載の処理混合物。
【請求項３２】
約、１０：１〜５０：１；１５：１〜４０：１；２０：１〜３０：１；および２５：１の１つまたは複数のポリマーフィルムに対する重量比で水を含む、請求項２６に記載の処理混合物。
【請求項３３】
１つまたは複数のコーティングがペイント、インク、染料、粉体塗装、紙ラベル、基材樹脂、バックコーティング、プラスチックラベル、接着剤、バリアコーティング、金属化コーティング、およびバイオコーティングの１つまたは複数を含む、請求項２６に記載の処理混合物。
【請求項３４】
単相水溶液が請求項１〜２５のいずれか一項に記載の単相水溶液を含む、請求項２６に記載の処理混合物。
【請求項３５】
水；無機塩基組成物；シリケート塩を含む安定な過酸化物組成物；および界面活性剤組成物を含む単相水溶液を提供すること（１０２）であって、
安定な過酸化物組成物がシリケート塩を含み、安定な過酸化物組成物が約０．００１２５Ｍ〜０．１Ｍのモル濃度を有するシリケート濃度を提供するのに有効な量で存在し；
安定な過酸化物組成物が約０．０１％〜１％の水に対する重量パーセント濃度（ｗ／ｗ）でケイ酸ナトリウムを含み；
界面活性剤組成物が約０．０１％〜０．５の水に比較したパーセント（ｗ／ｗ）で少なくとも１つのテトラアルキルアンモニウム塩を含み；および
界面活性剤組成物が約０．０１％〜１％の水に比較したパーセント（ｗ／ｗ）で少なくとも１つのアルキルポリエチレングリコールエーテルを含む、
の１つまたは複数である、提供すること；
ポリマーフィルム（ポリマーフィルムは１つまたは複数のコーティングを含む）を提供すること（１０４）；および
ポリマーフィルムから１つまたは複数のコーティングの一部分を除去するのに有効な条件下で単相水溶液およびポリマーフィルムを接触させて処理混合物を形成すること（１０６）
を含む、単相水溶液を用いてポリマーフィルムから１つまたは複数のコーティングを除去するための方法（１００）。
【請求項３６】
ポリマーフィルムから１つまたは複数のコーティングの一部分を除去するのに有効な条件が処理混合物を加熱することを含む、請求項３５に記載の方法。
【請求項３７】
ポリマーフィルムから１つまたは複数のコーティングの一部分を除去するのに有効な条件が約、５０℃〜１００℃；６０℃〜１００℃；６５℃〜１００℃；７０℃〜１００℃；７５℃〜９５℃；８０℃〜９０℃；および８５℃の１つまたは複数の温度で処理混合物を加熱することを含む、請求項３５に記載の方法。
【請求項３８】
ポリマーフィルムから１つまたは複数のコーティングの一部分を除去するのに有効な条件が、
初期コーティング量を決定すること；処理混合物を加熱および撹拌すること；初期コーティング量のパーセンテージより低い処理コーティング量を決定すること；および処理コーティング量が初期コーティング量のパーセンテージより低いと決定する際にポリマーフィルムを回収すること（初期コーティング量のパーセンテージが約、２０％、１５％、１４％、１３％、１２％、１１％、１０％、９％、８％、７％、６％、５％、４％、３％、２％、および１％の１つまたは複数である）
を含む、請求項３５に記載の方法。
【請求項３９】
ポリマーフィルムから１つまたは複数のコーティングの一部分を除去するのに有効な条件が処理混合物を撹拌することを含む、請求項３５に記載の方法。
【請求項４０】
１つまたは複数のコーティングの一部分の除去後にポリマーフィルムを回収することをさらに含む、請求項３５に記載の方法。
【請求項４１】
１つまたは複数のコーティングの一部分の除去後に単相水溶液の少なくとも一部分を回収することをさらに含む、請求項３５に記載の方法。
【請求項４２】
バッチ操作および連続操作の１つまたは複数を含む操作によりポリマーフィルムから１つまたは複数のコーティングの一部分を除去することを含む、請求項３５に記載の方法。
【請求項４３】
ポリマーフィルムが多層フィルムを含み、多層フィルムの層の少なくとも一部分を分離することをさらに含む、請求項３５に記載の方法。
【請求項４４】
約、１０：１〜５０：１；１５：１〜４０：１；２０：１〜３０：１；および２５：１の１つまたは複数のポリマーフィルムに対する重量比で水を提供することを含む、請求項３５に記載の方法。
【請求項４５】
無機塩基組成物；界面活性剤組成物；および安定な過酸化物組成物の水への段階的な添加により単相水溶液を形成することをさらに含む、請求項３５に記載の方法。
【請求項４６】
請求項１〜２５のいずれか一項に記載の単相水溶液を提供することを含む、請求項３５に記載の方法。
【請求項４７】
請求項１〜２５のいずれか一項に記載の単相水溶液を調製することをさらに含む、請求項３５に記載の方法。
【請求項４８】
ポリマーフィルムと単相水溶液を接触させて請求項２６〜３４のいずれか一項に記載の処理混合物を形成することを含む、請求項３５に記載の方法。
【請求項４９】
無機塩基組成物、安定な過酸化物組成物、および界面活性剤組成物；１つまたは複数並びに
指示書（指示書は無機塩基組成物、シリケート塩を含む安定な過酸化物組成物、および界面活性剤組成物を水と混ぜ合わせて単相水溶液を形成するよう使用者に指示する）
を含む、ポリマーフィルムから１つまたは複数のコーティングを除去するための単相水溶液を作製するためのキットであって、
無機塩基組成物、安定な過酸化物組成物、および界面活性剤組成物が、指示書と組み合わせて、単相水溶液が形成されるような、それぞれの量でキット中に存在し、
安定な過酸化物組成物がシリケート塩を含み、安定な過酸化物組成物が約０．００１２５Ｍ〜０．１Ｍのモル濃度を有するシリケート濃度を提供するのに有効な量で存在し；
安定な過酸化物組成物が約０．０１％〜１％の水に対する重量パーセント濃度（ｗ／ｗ）でケイ酸ナトリウムを含み；
界面活性剤組成物が約０．０１％〜０．５の水に比較したパーセント（ｗ／ｗ）で少なくとも１つのテトラアルキルアンモニウム塩を含み；および
界面活性剤組成物が約０．０１％〜１％の水に比較したパーセント（ｗ／ｗ）で少なくとも１つのアルキルポリエチレングリコールエーテルを含む、
の１つまたは複数である、キット。
【請求項５０】
無機塩基組成物、安定な過酸化物組成物、および界面活性剤組成物を含む、請求項４９に記載のキット。
【請求項５１】
乾燥組成物またはニート組成物として無機塩基組成物、安定な過酸化物組成物、および界面活性剤組成物の少なくとも１つを含む、請求項４９に記載のキット。
【請求項５２】
混合物中でそれぞれ乾燥組成物またはニート組成物として、無機塩基組成物、安定な過酸化物組成物、および界面活性剤組成物の２つ以上の混合物を含む、請求項４９に記載のキット。
【請求項５３】
無機塩基組成物、安定な過酸化物組成物、および界面活性剤組成物の２つ以上混合物を水性濃縮物の形態で水と共に含む、請求項４９に記載のキット。
【請求項５４】
指示書が１つまたは複数のコーティングを含むポリマーフィルムに単相水溶液を接触させることにより処理混合物を形成するよう使用者にさらに指示する、請求項４９に記載のキット。
【請求項５５】
指示書が１つまたは複数のコーティングを含むポリマーフィルムに単相水溶液を接触させることにより請求項２６〜３４のいずれか一項に記載の処理混合物を形成するよう使用者にさらに指示する、請求項４９に記載のキット。
【請求項５６】
指示書が請求項３５〜４８のいずれか一項に記載の方法を行うよう使用者にさらに指示する、請求項５５に記載のキット。
【請求項５７】
指示書が、無機塩基組成物、安定な過酸化物組成物、および界面活性剤組成物を水と混ぜ合わせて請求項１〜２５のいずれか一項に記載の単相水溶液を形成するよう使用者に指示する、請求項４９に記載のキット。
【国際調査報告】
2018508629.tif 000004
2018508629.tif 000005